(57)【特許請求の範囲】
【請求項１】
画像信号が符号化されたビットストリームを復号して画像信号、表示コントロールパラメータ及び符号化パラメータを出力する復号手段と、
上記復号手段からの画像信号の出力先を切り換える第１の切り換え手段と、
上記第１の切り換え手段の一方の被選択端子からの画像信号に表示コントロールパラメータに基づいて後処理を施す後処理手段と、
画像信号に前処理を施すと共に表示コントロールパラメータを出力する前処理手段と、
上記前処理手段からの画像信号又は上記第１の切り換え手段からの画像信号のいずれか一方に切り換える第２の切り換え手段と、
上記復号手段からの表示コントロールパラメータの出力先を切り換える第３の切り換え手段と、
上記第３の切り換え手段からの表示コントロールパラメータ又は上記前処理手段からの表示コントロールパラメータのいずれか一方に切り換える第４の切り換え手段と、
上記復号手段からの符号化パラメータ又は外部からの符号化パラメータのいずれか一方に切り換える第５の切り換え手段と、
上記第２の切り換え手段からの画像信号及び上記第４の切り換え手段からの表示コントロールパラメータを上記第５の切り換え手段からの符号化パラメータに基づいて符号化してビットストリームを出力する符号化手段とを有し、
上記復号手段にて復号された画像信号を上記後処理手段にて後処理して出力する際には、上記第１の切り換え手段は上記復号手段からの画像信号を上記後処理手段に送り、上記第３の切り換え手段は上記復号手段からの表示コントロールパラメータを上記後処理手段に送り、
上記前処理手段にて前処理された画像信号を上記符号化手段にて符号化して出力する際には、上記第２の切り換え手段は上記前処理手段からの画像信号を上記符号化手段に送り、上記第４の切り換え手段は上記前処理手段からの表示コントロールパラメータを上記符号化手段に送り、上記第５の切り換え手段は上記外部からの符号化パラメータを上記符号化手段に送り、
上記復号手段にて復号された画像信号を上記符号化手段にて復号化する再符号化の際には、上記第１の切り換え手段は上記復号手段からの画像信号を上記第２の切り換え手段に送り、上記第２の切り換え手段は上記第１の切り換え手段からの画像信号を上記符号化手段に送り、上記第３の切り換え手段は上記復号手段からの表示コントロールパラメータを上記第４の切り換え手段に送り、上記第４の切り換え手段は上記第３の切り換え手段からの表示コントロールパラメータを上記符号化手段に送ることを特徴とする信号処理装置。
【請求項２】
上記後処理手段における処理は、画像信号及び表示コントロールパラメータに基づいて行う、プルダウン処理、クロマ信号のアップサンプリング、画像からの矩形型ウインドウの切り出し処理又は表示画枠サイズへのサンプリング変換処理を含み、上記前処理手段における処理は、画像信号の逆プルダウン処理、クロマ信号のダウンサンプリングを含むことを特徴とする請求項１記載の信号処理装置。
【請求項３】
画像信号が符号化されたビットストリームを復号して画像信号、表示コントロールパラメータ及び符号化パラメータを出力する復号手段と、
上記復号手段からの画像信号の出力先を切り換える第１の切り換え手段と、
上記第１の切り換え手段の一方の被選択端子からの画像信号に表示コントロールパラメータに基づいて後処理を施す後処理手段と、
画像信号に前処理を施すと共に表示コントロールパラメータを出力する前処理手段と、
上記前処理手段からの画像信号又は上記第１の切り換え手段からの画像信号のいずれか一方に切り換える第２の切り換え手段と、
上記復号手段からの表示コントロールパラメータの出力先を切り換える第３の切り換え手段と、
上記第３の切り換え手段からの表示コントロールパラメータ又は上記前処理手段からの表示コントロールパラメータのいずれか一方に切り換える第４の切り換え手段と、
上記復号手段からの符号化パラメータ又は外部からの符号化パラメータのいずれか一方に切り換える第５の切り換え手段と、
上記第２の切り換え手段からの画像信号及び上記第４の切り換え手段からの表示コントロールパラメータを上記第５の切り換え手段からの符号化パラメータに基づいて符号化してビットストリームを出力する符号化手段とを有する信号処理装置を用い、
上記復号手段にて復号された画像信号を上記後処理手段にて後処理して出力する際には、上記第１の切り換え手段は上記復号手段からの画像信号を上記後処理手段に送り、上記第３の切り換え手段は上記復号手段からの表示コントロールパラメータを上記後処理手段に送り、
上記前処理手段にて前処理された画像信号を上記符号化手段にて符号化して出力する際には、上記第２の切り換え手段は上記前処理手段からの画像信号を上記符号化手段に送り、上記第４の切り換え手段は上記前処理手段からの表示コントロールパラメータを上記符号化手段に送り、上記第５の切り換え手段は上記外部からの符号化パラメータを上記符号化手段に送り、
上記復号手段にて復号された画像信号を上記符号化手段にて復号化する再符号化の際には、上記第１の切り換え手段は上記復号手段からの画像信号を上記第２の切り換え手段に送り、上記第２の切り換え手段は上記第１の切り換え手段からの画像信号を上記符号化手段に送り、上記第３の切り換え手段は上記復号手段からの表示コントロールパラメータを上記第４の切り換え手段に送り、上記第４の切り換え手段は上記第３の切り換え手段からの表示コントロールパラメータを上記符号化手段に送ることを特徴とする信号処理方法。
【発明の詳細な説明】
【０００１】
【発明の属する技術分野】
本発明は、入力されたビットストリームを復号して画像信号とし、この画像信号を再びビットストリームとして出力する信号処理装置及び方法に関する。
【０００２】
【従来の技術】
近年、画像信号の圧縮符号化に、動き補償処理（ＭＣ；motion compensation）及び離散余弦変換（ＤＣＴ；descrete cosine ）等の直交変換による冗長度低減処理とを組み合わせたＭＰＥＧ（moving picture experts group）や、ＭＰＥＧ２が広く用いられるようになった。
【０００３】
非圧縮の映像データを上記ＭＰＥＧ等の手法により、画像内符号化画像（Ｉピクチャ）、順方向予測符号化画像（Ｐピクチャ）、双方向予測符号化画像（Ｂピクチャ）のような符号化画像に圧縮して光磁気ディスク等の蓄積媒体に記録したり、あるいは通信回線を使用して伝送したりする。
【０００４】
ここで、ビットストリームが画像信号となされ、その画像信号が再びビットストリームに変換されることがある。例えば、映画フィルムからビデオに変換するには、映画の１秒２４コマをテレビ／ビデオの１秒３０フレームに変換するため、４コマから５フレームを作るいわゆる２：３プルダウンの処理が行われる。
【０００５】
ビットストリームを復号して、その復号動画像を再びＭＰＥＧ符号化して、ビットストリームを出力する場合の従来の信号処理装置の概略的な構成を図５に示す。
【０００６】
従来の信号処理装置は、外部から入力されるビットストリームＳ２６を復号する復号器であるデコーダ１０１と、上記デコーダ１０１にて復号された画像信号に後処理であるポスト処理を施すポスト処理回路１０２と、ポスト処理回路１０２からの画像信号に符号化の前処理を施すプリ処理回路１０３と、上記プリ処理回路１０３からの画像信号を符号化する符号化器であるエンコーダ１０４とから構成される。
【０００７】
デコーダ１０１は、入力されるビットストリームＳ２６を復号して、復号画像Ｓ２０を出力する。また、デコーダ１０１は、入力されるビットストリームＳ２６から復号画像Ｓ２０に対する表示コントロールパラメータＳ２３を復号して、この表示コントロールパラメータＳ２３をポスト処理回路１０２に出力する。次に示す表示コントロールパラメータＳ２３は、ＭＰＥＧ２ｖｉｄｅｏ規格で規定されているものである。
【０００８】
horizontal_size,vertical_size,frame_rate,display_horizontal_size,display_vertical_size,aspect_ratio_information,progressive_frame,repeat_first_field,top_field_first,frame_centre_horizontal_offset,frame_centre_vertical_offset。
【０００９】
ポスト処理回路１０２は、表示コントロールパラメータＳ２３に基づいて、復号画像Ｓ２０を処理して、処理画像Ｓ２１を出力する。具体的には、top_field_first,repeat_first_fieldに基づいて、２：３プルダウン処理を行い、また、progressive_frameに基づいて、クロマ信号を４：２：０フォーマットから４：２：２フォーマットへアップサンプリングを行い、また、horizontal_size,vertical_size,display_horizontal_size,display_vertical_size,aspect_ratio_information,frame_centre_horizontal_offset,frame_centre_vertical_offsetに基づいて、画像からの矩形型ウインドウの切り出し処理、及び表示画枠サイズへのサンプリング処理変換、すなわちアップサンプリング又はダウンサンプリングを行う。
【００１０】
ここで、４：２：０フォーマットとは、ＭＰＥＧ２のＭＰ＠ＭＬ（メインプロファイル／メインレベル）で採用されるビデオ信号の符号化のコンポーネント形式である。この４，２，０と言う数字は、ビデオ画像の横方向のライン（走査線）に含まれる輝度（Ｙ）信号と二つの色差（ＣｂとＣｒ）信号の標本化周波数の比、すなわり解像度の比を示している。４：２：２フォーマットについても同様である。
【００１１】
処理画像Ｓ２１は、プリ処理回路１０３に入力される。プリ処理回路１０３は、入力画像Ｓ２１に対して、逆３：２プルダウン処理、クロマ信号の４：２：２フォーマットから４：２：０フォーマットへのダウンサンプリング処理などを行って、処理画像Ｓ２２を出力する。また、プリ処理回路１０３は、処理画像Ｓ２２から処理画像Ｓ２１への逆処理の内容を表すパラメータとして、表示コントロールパラメータＳ２４を出力する。
【００１２】
エンコーダ１０４は、処理画像Ｓ２２を符号化し、また、処理画像Ｓ２２の表示コントロールパラメータＳ２４を符号化された処理画像Ｓ２２のビットストリームのヘッダ情報として符号化して、ビットストリームＳ２７を出力する。
【００１３】
ところで、ＭＰＥＧビデオビットストリームを復号して、その復号画像を再びＭＰＥＧ符号化して、ビットストリームを出力する場合に、画像を高画質に符号化するためには、その画像を符号化する時の符号化パラメータＳ２５であるピクチャコーディングタイプ（picture_coding_type ）を元のビットストリームの時と同じにすると有効なことが広く知られている。そのため、デコーダ１０１からエンコーダ１０４へ符号化パラメータＳ２５が入力されている。この符号化パラメータＳ２５の情報は、復号画像Ｓ２０と処理画像Ｓ２２のピクチャが１：１に対応している場合に有効となる。
【００１４】
【発明が解決しようとする課題】
しかし、復号画像Ｓ２０と処理画像Ｓ２２のピクチャが１：１に対応している保証がないため、符号化パラメータＳ２５を有効に使えない場合がある。
【００１５】
復号画像Ｓ２０と処理画像Ｓ２２が１：１に対応しない原因としては、プリ処理回路１０３のポスト処理回路１０２に対する逆２：３プルダウン処理が、完全な逆処理にならない可能性があること、ポスト処理回路１０２で表示画枠サイズの変換処理を行っていること、が挙げられる。
【００１６】
また、ポスト処理回路１０２で行われるクロマ信号のアップサンプリング処理とプリ処理回路１０３で行われるクロマ信号のダウンサンプリング処理を繰り返して行うことによるクロマ信号の劣化も問題になる。
【００１７】
本発明は、上述の問題点に鑑みてなされるものであって、符号化パラメータの情報を有効に利用して、画像信号を符号化したビットストリームを復号した画像を高画質に符号化するような信号処理装置及び方法を、提供することを目的とする。
【００１８】
【課題を解決するための手段】
上述の課題を解決する本発明に係る信号処理装置は、画像信号が符号化されたビットストリームを復号して画像信号、表示コントロールパラメータ及び符号化パラメータを出力する復号手段と、上記復号手段からの画像信号の出力先を切り換える第１の切り換え手段と、上記第１の切り換え手段の一方の被選択端子からの画像信号に表示コントロールパラメータに基づいて後処理を施す後処理手段と、画像信号に前処理を施すと共に表示コントロールパラメータを出力する前処理手段と、上記前処理手段からの画像信号又は上記第１の切り換え手段からの画像信号のいずれか一方に切り換える第２の切り換え手段と、上記復号手段からの表示コントロールパラメータの出力先を切り換える第３の切り換え手段と、上記第３の切り換え手段からの表示コントロールパラメータ又は上記前処理手段からの表示コントロールパラメータのいずれか一方に切り換える第４の切り換え手段と、上記復号手段からの符号化パラメータ又は外部からの符号化パラメータのいずれか一方に切り換える第５の切り換え手段と、上記第２の切り換え手段からの画像信号及び上記第４の切り換え手段からの表示コントロールパラメータを上記第５の切り換え手段からの符号化パラメータに基づいて符号化してビットストリームを出力する符号化手段とを有し、上記復号手段にて復号された画像信号を上記後処理手段にて後処理して出力する際には、上記第１の切り換え手段は上記復号手段からの画像信号を上記後処理手段に送り、上記第３の切り換え手段は上記復号手段からの表示コントロールパラメータを上記後処理手段に送り、上記前処理手段にて前処理された画像信号を上記符号化手段にて符号化して出力する際には、上記第２の切り換え手段は上記前処理手段からの画像信号を上記符号化手段に送り、上記第４の切り換え手段は上記前処理手段からの表示コントロールパラメータを上記符号化手段に送り、上記第５の切り換え手段は上記外部からの符号化パラメータを上記符号化手段に送り、上記復号手段にて復号された画像信号を上記符号化手段にて復号化する再符号化の際には、上記第１の切り換え手段は上記復号手段からの画像信号を上記第２の切り換え手段に送り、上記第２の切り換え手段は上記第１の切り換え手段からの画像信号を上記符号化手段に送り、上記第３の切り換え手段は上記復号手段からの表示コントロールパラメータを上記第４の切り換え手段に送り、上記第４の切り換え手段は上記第３の切り換え手段からの表示コントロールパラメータを上記符号化手段に送る。
【００１９】
また、本発明に係る信号処理方法は、画像信号が符号化されたビットストリームを復号して画像信号、表示コントロールパラメータ及び符号化パラメータを出力する復号手段と、上記復号手段からの画像信号の出力先を切り換える第１の切り換え手段と、上記第１の切り換え手段の一方の被選択端子からの画像信号に表示コントロールパラメータに基づいて後処理を施す後処理手段と、画像信号に前処理を施すと共に表示コントロールパラメータを出力する前処理手段と、上記前処理手段からの画像信号又は上記第１の切り換え手段からの画像信号のいずれか一方に切り換える第２の切り換え手段と、上記復号手段からの表示コントロールパラメータの出力先を切り換える第３の切り換え手段と、上記第３の切り換え手段からの表示コントロールパラメータ又は上記前処理手段からの表示コントロールパラメータのいずれか一方に切り換える第４の切り換え手段と、上記復号手段からの符号化パラメータ又は外部からの符号化パラメータのいずれか一方に切り換える第５の切り換え手段と、上記第２の切り換え手段からの画像信号及び上記第４の切り換え手段からの表示コントロールパラメータを上記第５の切り換え手段からの符号化パラメータに基づいて符号化してビットストリームを出力する符号化手段とを有する信号処理装置を用い、上記復号手段にて復号された画像信号を上記後処理手段にて後処理して出力する際には、上記第１の切り換え手段は上記復号手段からの画像信号を上記後処理手段に送り、上記第３の切り換え手段は上記復号手段からの表示コントロールパラメータを上記後処理手段に送り、上記前処理手段にて前処理された画像信号を上記符号化手段にて符号化して出力する際には、上記第２の切り換え手段は上記前処理手段からの画像信号を上記符号化手段に送り、上記第４の切り換え手段は上記前処理手段からの表示コントロールパラメータを上記符号化手段に送り、上記第５の切り換え手段は上記外部からの符号化パラメータを上記符号化手段に送り、上記復号手段にて復号された画像信号を上記符号化手段にて復号化する再符号化の際には、上記第１の切り換え手段は上記復号手段からの画像信号を上記第２の切り換え手段に送り、上記第２の切り換え手段は上記第１の切り換え手段からの画像信号を上記符号化手段に送り、上記第３の切り換え手段は上記復号手段からの表示コントロールパラメータを上記第４の切り換え手段に送り、上記第４の切り換え手段は上記第３の切り換え手段からの表示コントロールパラメータを上記符号化手段に送る。
【００２０】
【発明の実施の形態】
以下、本発明に係る信号処理装置及び方法について、図面を参照して説明する。
【００２１】
信号処理装置は、図１に示すように、外部から供給されるビットストリームＳ１０を復号して画像信号Ｓ１及び表示コントロールパラメータＳ６とする復号手段であるデコーダ１と、デコーダ１から出力される画像信号Ｓ１を与えられ、第２のスイッチＳＷ２に接続される被選択端子Ａ又はポスト処理回路２に接続される被選択端子Ｂのいずれか一方に切り換える第１の切り換え手段である第１のスイッチＳＷ１とを有している。
【００２２】
デコーダ１は、入力されるビットストリームＳ１０をデコードして、処理画像の画像信号Ｓ１を出力する。また、デコーダ１は、ビットストリームＳ１０から画像信号Ｓ１に対応する表示コントロールパラメータＳ６及び符号化パラメータＳ８を復号する。次に示す表示コントロールパラメータＳ６は、ＭＰＥＧｖｉｄｅｏ規格で規定されているものである：horizontal_size,vertical_size,frame_rate,display_horizontal_size,display_vertical_size,aspect_ratio_information,progressive_frame,repeat_first_field,top_field_first,frame_centre_horizontal_offset,frame_centre_vertical_offset。
【００２３】
符号化パラメータＳ８は、次に示す通りである：表示コントロールパラメータを除くシーケンスレイヤのヘッダ情報、表示コントロールパラメータを除くピクチャレイヤヘッダのパラメータ、動きベクトル情報（mb_type,frame_motion_type or field_motion_type，動きベクトル）、dct_type、量子スケール。
【００２４】
また、信号処理装置は、デコーダ１から出力される表示コントロールパラメータＳ６を与えられ、この表示コントロールパラメータＳ６を、第４のスイッチＳＷ４に接続される被選択端子Ａ又はポスト処理回路２に接続される被選択端子Ｂのいずれか一方に切り換える第３のスイッチＳＷ３と、デコーダ１から第１のスイッチＳＷ１を介して画像信号Ｓ１を、第３のスイッチＳＷ３を介して表示コントロールパラメータＳ３を与えられ、この画像信号Ｓ１及び表示コントロールパラメータＳ６に復号後の後処理であるポスト処理を施した画像信号Ｓ２として外部に出力する後処理手段であるポスト処理回路２を有している。
【００２５】
ポスト処理回路２は、デコーダ１からスイッチＳＷ３を介して与えられる表示コントロールパラメータＳ６に基づいて、画像信号Ｓ１を処理した画像信号Ｓ２を外部に出力する。具体的には、top_field_first,repeat_first_fieldに基づいて、２：３プルダウン処理を行い、また、progressive_frame に基づいて、クロマ信号を４：２：０フォーマットから４：２：２フォーマットへアップサンプリングを行い、また、horizontal_size,vertical_size,display_horizontal_size,display_vertical_size,aspect_ratio_information,frame_centre_horizontal_offset,frame_centre_vertical_offsetに基づいて、画像からの矩形型ウインドウの切り出し処理、及び表示画枠サイズへのサンプリング処理変換、すなわちアップサンプリング又はダウンサンプリングを行う。
【００２６】
さらに、信号処理装置は、外部から供給される画像信号Ｓ４に前処理であるプリ処理を施してビットストリーム及び表示コントロールパラメータを出力する前処理手段であるプリ処理回路３と、第１のスイッチＳＷ１の被選択端子Ａに接続される被選択端子Ａ及びプリ処理回路３に接続される被選択端子Ｂのいずれか一方を切り換えてエンコーダ４に画像信号Ｓ５を与える第２の切り換え手段である第２のスイッチＳＷ２とを有している。
【００２７】
プリ処理回路２は、外部からの画像信号Ｓ４に対して、逆３：２プルダウン処理、クロマ信号の４：２：２フォーマットから４：２：０フォーマットへのダウンサンプリングなどを行って、画像信号をスイッチＳＷ２に与える。また、プリ処理回路３は、画像信号Ｓ４への逆処理の内容を表すパラメータとして、表示コントロールパラメータをスイッチＳＷ４に出力する。
【００２８】
そして、信号処理装置は、第３のスイッチＳＷ３の被選択端子Ａに接続される被選択端子Ａ及びプリ処理回路２からの表示コントロールパラメータが与えられる被選択端子Ｂのいずれか一方を切り換えてエンコーダ４に表示コントロールパラメータＳ７を与える第４のスイッチＳＷ４と、プリ処理回路３から第２のスイッチＳＷ２を介して与えられる画像信号Ｓ５及び第４のスイッチＳＷ４を介して与えられる表示コントロールパラメータＳ７を符号化する符号化手段であるエンコーダ４とを有している。
【００２９】
エンコーダ４は、デコーダ１又はプリ処理回路３のいずれか一方からそれぞれスイッチＳＷ１又はスイッチＳＷ２を介して与えられる画像信号Ｓ５を符号化し、また、表示コントロールパラメータＳ７を画像信号Ｓ５のヘッダ情報として符号化して、ビットストリームＳ１１を出力する。
【００３０】
また、信号処理装置は、デコーダ１から被選択端子Ａに与えられる符号化パラメータＳ８又は外部から供給される符号化パラメータＳ９のいずれか一方に切り換えてエンコーダ４に与える第５のスイッチＳＷ５を有している。
【００３１】
ここで、ＭＰＥＧビットストリームを復号して、その復号画像を再びＭＰＥＧ符号化して、ビットストリームを出力する場合に、画像を高画質に符号化するためには、その画像を符号化するときのピクチャコーディングタイプ（picture_coding_type ）を元のビットストリームと同じにすると有効であることが広く知られている。そのため、デコーダ１からエンコーダ４は、スイッチＳＷ５を介して符号化パラメータＳ８が入力されている。また、外部からの符号化パラメータＳ９が上記スイッチＳＷ５を介して入力される場合もある。
【００３２】
ビットストリームＳ１０を復号して、その復号動画像を再び符号化して、ビットストリームＳ１１を出力する場合、スイッチＳＷ１，ＳＷ２，ＳＷ３，ＳＷ４，ＳＷ５は、Ａ側にスイッチされる。
【００３３】
すなわち、ビットストリームを復号して、その復号動画像を再びＭＰＥＧ化する場合、図１に示す符号化パラメータＳ８は、デコーダ１からエンコーダ４へ指示される。エンコーダ４は、入力された符号化パラメータに基づいて、画像信号Ｓ５符号化してビットストリームを出力する。
【００３４】
通常に、ビットストリームＳ１０をデコードして、復号された画像信号Ｓ２を出力する場合には、スイッチＳＷ１，ＳＷ３はＢ側にスイッチされる。
【００３５】
通常に、画像信号Ｓ４をエンコードして、ビットストリームＳ１１を出力する場合、スイッチＳＷ２，ＳＷ４，ＳＷ５は、Ｂ側にスイッチされる。
【００３６】
このように、信号処理装置は、ビットストリームをデコードして、このデーコードされた再びエンコードしたビットストリームを出力する場合、デコーダ１のポスト処理とエンコーダ４のプリ処理をスルーにしてＭＰＥＧビデオビットストリームから取り出した符号化パラメータを、エンコーダへ入力して、エンコーダは、入力された符号化パラメータに基づいて、画像を符号化する。
【００３７】
続いて、デコーダ１及びエンコーダ４について説明する。
【００３８】
デコーダ１においては、図２に示すように、入力されるＭＰＥＧ２規格のビットストリームがバッファ４１に蓄えられ、バッファ４１からのビットストリームは可変長復号回路４２にて可変長復号され、この可変長復号回路４２にては、表示コントロールパラメータ及び符号化パラメータが得られる。逆ＤＣＴ回路４２は可変長復号回路４２からの出力に逆離散コサイン変換（ＤＣＴ）を施し、逆量子化回路４４にては逆ＤＣＴ回路４３からの出力が逆量子化される。
【００３９】
逆量子化回路４４からの出力は、加算回路４５にて、この加算回路４５から１フレームの画像を記憶するフレームメモリ４６及び動き補償を行う動き補償回路４７を介して得られた信号と加算され、上記フレームメモリ４６及びピクチャの順序を並べ替えるピクチャ順序並べ替え回路４８に入力され、このピクチャ順序並べ替え回路４８の出力は、デコーダ１からの出力画像となる。
【００４０】
エンコーダ４においては、図３に示すように、１フレームの画像を記憶するフレームメモリ２１に入力画像が入力され、フレームメモリ２１からの出力は動き予測回路２２に入力されて動き予測が行われる。この動き予測回路からの出力はピクチャ順序並べ替え回路２３に与えられ、また、動きベクトルが動き補償回路３３に入力される。
【００４１】
ピクチャ順序並べ替え回路２３からの出力は加算回路２４に与えられる。加算回路２４において、ピクチャ順序並べ替え回路２３の出力から動き補償回路３３の出力の減算がなされ、その結果がＤＣＴ変換を行うＤＣＴ回路２５に与えられる。
【００４２】
ＤＣＴ回路２５に続いて量子化を施す量子化回路２６から得られる出力は、一方は可変長符号化を施す可変長符号化回路２７及びデータを蓄えるバッファを経てこのエンコーダ４からの出力となり、他方は逆量子化を施す逆量子化回路２９及び逆ＤＣＴ変換を施す逆ＤＣＴ回路３０を経て、加算回路３１に達する。加算回路３１においては、逆ＤＣＴ回路３０及び動き補償回路３３からの出力が加算され、その結果がフレームメモリ３２に与えられる。
【００４３】
次に、信号処理方法に係る一連の工程について、図４に示すフローチャートを参照して説明する。
【００４４】
信号処理方法は、信号処理装置、例えば図１に示したような、画像信号が符号化されたビットストリームを復号して画像信号及び符号化パラメータを出力するデコーダ１と、デコーダ１からの画像信号の出力先を切り換えるスイッチＳＷ１と、スイッチＳＷ１の被選択端子Ａからの画像信号に後処理を施すポスト処理回路２と、画像信号に前処理を施すプリ処理回路３と、プリ処理回路３の画像信号又はスイッチＳＷ１からの画像信号のいずれか一方に切り換えるスイッチＳＷ２と、スイッチＳＷ２からの画像信号及びデコーダ１からの符号化パラメータを符号化してビットストリームを出力するエンコーダ４とを有する信号処理装置を用いる。
【００４５】
最初のステップＳ１０１においては、デコーダ１にて入力されるビットストリームＳ１０を復号（デコード）して画像信号とする。
【００４６】
次のステップＳ１０２においては、上記直接入力する経路を介してデコーダ１からエンコーダ４に送られた画像信号が符号化（エンコード）されてビットストリームＳ１１として出力される。
【００４７】
【発明の効果】
上述のように、本発明に係る信号処理装置は、デコーダのポスト処理とエンコーダのプリ処理をスルーにし、入力された符号化パラメータに基づいて画像を符号化するので、画像を高画質に符号化することができる。
【００４８】
本発明に係る信号処理方法は、復号のポスト処理と符号化のプリ処理をスルーにし、入力された符号化パラメータに基づいて画像を符号化するので、画像を高画質に符号化することができる。
【図面の簡単な説明】
【図１】信号処理装置の概略的な構成を示すブロック図である。
【図２】信号処理装置のデコーダの構成を示すブロック図である。
【図３】信号処理装置のエンコーダの構成を示すブロック図である。
【図４】信号処理方法の一連の工程を示すフローチャートである。
【図５】従来の信号処理装置の構成を示すブロック図である。
【符号の説明】
１  デコーダ、２  ポスト処理回路、３  エンコード処理回路
【図１】
0004038858.tif 000002
【図２】
0004038858.tif 000003
【図３】
0004038858.tif 000004
【図４】
0004038858.tif 000005
【図５】
0004038858.tif 000006